(57)【要約】【課題】  フロントパネル等に開閉自在に枢着したリッドを有する電子機器に於いて、簡単で廉価に、かつ、電子機器を横置き或いは縦置きに使用してもリッドが一定の角度だけ自動回転するようにした電子機器の開閉機構を得る。【解決手段】フロントパネル３に形成した開口部４を塞ぐように回動自在に枢着されたリッド５の背面部に一体に形成した軸受部材6をフロントパネル３に固定した軸8に嵌着し、リッド5と筺体1内のシャーシ２間にスプリング２５を架橋させて、スプリング２５の長さの差に応じてリッド５の回転方向を逆転させる。【選択図】  図２
2005109391.tif 000002
【特許請求の範囲】
【請求項１】
筺体あるいはパネルに形成した開口部を塞ぐように開閉自在に枢着したリッドを有する電子機器において、
上記筺体あるいはパネルに固定した軸にリッドの背面に設けた軸受部材を回動可能に軸支すると共に該リッドの背面と該筺体あるいはパネルの背面の固定点間に架橋したスプリングを具備し、上記リッドが上記開口部に対して閉じている状態では、上記スプリングは該リッドを上記筺体あるいは上記パネル側に押し付ける偏倚力を付与し、該リッドを該スプリングに抗して開いていくと該スプリングが引き伸ばされて、該スプリングには該リッドを開く偏倚力が付与されるようになされる開閉手段を有することを特徴とする電子機器。
【請求項２】
前記リッドの背面に設けた軸受部材を軸支する前記軸の軸方向と前記スプリングの長手方向が略直交する角度位置で前記スプリングの長さが最長となる様に成されたことを特徴とする請求項１記載の電子機器。
【請求項３】
前記リッドの背面と前記筺体あるいはパネルの背面の固定点間に架橋した前記スプリングの長さが最長となる様に成された時の角度位置に対し仰角では前記リッドを該筺体あるいは該パネル側に押し付ける偏倚力を与え、俯瞰角では該リッドを開らく偏倚力が付与されるようになされることを特徴とする請求項１又は請求項２記載の電子機器。
【発明の詳細な説明】
【技術分野】
【０００１】
本発明は、オーディオ機器等のパネルあるいは筺体に形成した開口部に開閉可能に枢着したリッドを有する電子機器に係わり、特に、リッドの改良に関する。
【背景技術】
【０００２】
従来から、オーディオ機器等の電子機器において、フロントパネル（以下パネルと記す）や筺体に形成した開口部を塞ぐように開閉可能に枢着したリッド（開閉扉、開閉パネル、シーリングパネル等を含む）の開閉構造としては種々のものが提案されている。例えば、図５に示す様に構成されたものが知られている。図５の（Ａ）（Ｂ）は電子機器のフロントパネル部分の側断面図を示すもので、図５（Ａ）は閉蓋状態を、図５（Ｂ）は開蓋状態を示し、箱型の筺体１内に設けたシャーシ２の前面に固定された略直方形のフロントパネル３の下端部に形成した略直方形の開口部４を塞ぐようにリッド５を回動自在に枢着させる。
【０００３】
リッド５の背面には断面が略凸状の合成樹脂からなる軸受部材６をリッド５と一体に形成する、この軸受部材６の略中央位置に設けた軸受部７にフロントパネル３に固定した軸８を回動可能に枢着させる。リッド５と反対側の軸受部材６の下端には金属片９が固定され、この金属片９と対抗するシャーシ２の位置にマグネット１０が固定されている。  
【０００４】
上述の構成において、リッド５が図５（Ａ）の様に閉蓋状態にあるときは軸受部材６の金属片９はシャーシ２上のマグネット１０に吸引されている。次に、リッド５を開く場合には、リッド５の上部を手で金属片９とマグネット１０の吸引力に抗して、図５（Ｂ）に示すように、反時計方向に軸8を中心に回動させることで金属片９とマグネット１０は離間し開蓋状態とすることができる。
【０００５】
また、他の従来のリッド開閉機構を有する電子機器として、８ミリビデオデッキ等のカセット扉として、フロントローディング用のフロントパネルに開口した、カセット挿入口の裏面側に取り付けられた蓋開閉機構によってカセット挿入口を開閉するように構成したものが特許文献1に開示されている。
【０００６】
この、カセット扉はフロントパネルの前面と同一平面にでき、かつカセット挿入口とカセット扉との間の隙間を均一にしてビデオデッキの外観体裁を向上できるようにしたものである。このカセット扉は、扉リンクに支持されており、この扉リンクはフロントパネル裏面に第１の支軸によって回動可能、かつカセット扉の閉止方向に第１のばね部材によりばね付勢されて支承されている。扉リンクの第２の支軸にカセット扉が回動可能、かつ第１のばね部材のばね付勢方向とは逆方向に第２のばね部材によりばね付勢されて支承されている。第１の支軸に回動伝達部を設け、この回動伝達部に扉開閉リンクを係合させる。カセット扉の左右側部に、カセット挿入口の縁部に設けたリブと当接しカセット扉の閉止時にカセット挿入口に対してカセット扉が位置決めされる位置決め片と、カセット扉の開放時にカセットコンパートメントに形成したカセット位置出しリブと当接しカセット扉の位置ずれを規制する。カセットコンパートメント内にカセット扉が開放可能にした傾斜面が設けられている。
【０００７】
更に、他の従来のリッド開閉機構を有する電子機器として、リッドの背面に突出部を設け、本体に固定した軸を中心に自在に回動することによって開口部を開閉するリッドと、本体内部に固定された突出部と当接する板バネとを備え、この板バネは、リッドが板バネの押圧に抗して、手動操作で開いていくことにより、その途中で後述するも、図６（Ｂ）の様に点１１位置から、リッドが開く方向に突出部を押圧する構成が特許文献２に開示されている。
【０００８】
上述の特許文献２に開示されているリッド開閉機構を有する電子機器は、図６（Ａ）に示す様に オーディオ電子機器の筺体１の前面に開口部４を開閉自在に塞ぐリッド５を設ける。このリッド５の裏面に設けた突出部１２と、筺体１のシャーシに固定された板バネ１３に突出部１２が当接することにより突出部１２が付勢されている。突出部１２が当接する板バネ１３の当接領域１５は平坦に形成されている。突出部１２と板バネ１３の配置は、リッド５の回動動作により突出部１２の先端部１２ａが描く円弧を含む円と、板バネ１３の配置される位置の線分とが２つの交点を持つように設定されている。リッド５を板バネ１３の押圧力に抗して手動操作で開いていくとその途中で板バネ１３の押圧力の方向がリッド５を開く方向に逆転し、突出部１２と板バネ１３の当接が解放され、リッド５はその自重により完全に開いた状態に至る様に成されている。
【０００９】
上述の図５（Ａ）（Ｂ）に示すリッド５の開閉構成によると、リッド５を閉じた状態を保持するためにマグネット１０を用いており、リッド５が閉じた状態のパネルの開口部４とリッド５間の隙間やガタ付き等の品位は、金属片９とマグネット１０との位置関係できまり、各部品に高い加工精度が要求され、コストアップの要因となっていた。
【００１０】
また、図５（Ａ）（Ｂ）に示すリッド５の開閉構成によると、カセット扉やフロントパネルの構造が複雑となり、カセット扉及びフロントパネルの製造コストが高くなる問題があった。さらに、図６（Ａ）に示すリッド５の開閉構成によると板バネ１３の表面と突出部１２の先端部１２ａが当接した状態で板ばね１３が突出部１２を押圧する構成であるため、板バネ１３の表面と突出部１２の先端部１２ａとの間で摩擦力が生じる。図６（Ｂ）は、図６（Ａ）に示すリッド５の位置がＡからＢ、及びＣの位置に移動する場合にリッド５へ働く開く方向への力及び閉じる方向への力を示す図である。図６（Ｂ）に示すように板バネ１３がリッド５を開く方向へ突出部１２を押圧する力とリッド５を閉じる方向へ突出部１２押圧する力が略同一となった点１１位置では、上記した摩擦力によって、リッド５の回動が停止する。このため、リッド５を開閉させる際に、リッド５が途中で停止してしまい、リッド５の開閉動作の品位が低下する課題を有していた。
【００１１】
また、従来の電子機器には、筺体１を横置きに配置した状態で使用できると共に、筺体１を縦置きに配置した状態でも使用できる電子機器がある。この様な縦置きと横置きのどちらに配置した場合でも使用可能な電子機器に、特許文献２に記載のリッド５を用いると、特許文献２に記載されている様に筺体１を横置きとした状態で使用した場合は、リッド５を図６（Ｂ）に示す点１１位置まで押圧することで、その地点からリッド５の自重がとリッド５を開く方向へ作用することにより、リッド５が自動的に回動して開口部４をひらくことができるが、筺体１を縦置きとして使用すると、リッド５を図６（Ｂ）に示す１１点まで押圧しても、リッド５の自重が開口部４を開く方向へ作用しないため、１１点でリッド５の回転が停止してしまい、確実に開口部４を開くことが出来ない課題を有していた。
【００１２】
【特許文献１】特開平６−１２８５０号公報
【特許文献２】特開平２００１−５３４５５号公報
【発明の開示】
【発明が解決しようとする課題】
【００１３】
本発明は上述の課題を解決しようとするものであり、筺体あるいはパネルに形成した開口部を塞ぐように開閉自在に枢着したリッドを有する電子機器において、廉価かつ簡単な構造で、電子機器の筺体を横置きに使用した場合或いは横置きに使用した場合でもリッドが一定の角度だけ回転する様にしたもので、リッドを押圧することで、それ以降、リッドが自動的にかつ、確実に開閉することができる電子機器を提供することを目的とする。
【課題を解決するための手段】
【００１４】
本願の請求項１記載の発明は、筺体あるいはパネルに形成した開口部を塞ぐように開閉自在に枢着したリッドを有する電子機器において、
筺体あるいはパネルに固定した軸にリッドの背面に設けた軸受部材を回動可能に軸支すると共にリッドの背面と筺体あるいはパネルの背面の固定点間に架橋したスプリングを具備し、リッドが開口部に対して閉じている状態では、スプリングはリッドを筺体あるいはパネル側に押し付ける偏倚力を付与し、リッドをスプリングに抗して開いていくとスプリングが引き伸ばされて、スプリングにはリッドを開く偏倚力が付与されるようになされる開閉手段を有することを特徴とする電子機器となしたものである。
【００１５】
本願の請求項２記載の発明は、請求項１記載の発明において、リッドの背面に設けた軸受部材を軸支する軸の軸方向とスプリングの長手方向が直交する角度位置でスプリングの長さが最長となる様に成されたことを特徴とする電子機器としたものである。
【００１６】
本願の請求項３記載の発明は、請求項１または請求項２記載の発明において、リッドの背面と筺体あるいはパネルの背面の固定点間に架橋したスプリングの長さが最長となる様に成された時の角度位置に対し仰角ではリッドを筺体あるいはパネル側に押し付ける偏倚力を与え、俯瞰角ではリッドを開らく偏倚力が付与されるようになされることを特徴とする電子機器としたものである。
【発明の効果】
【００１７】
本発明によると、リッドの開閉構造にスプリングを用いるのでマグネットを使用するより廉価で閉蓋状態でのリッドと開口部間の隙間やガタ付き等を無くすことができる。また、スプリングの取り付けは単純な構造ですむので、部品に高い加工精度を要求する必要がなく、部品コストを低減することができる。また、安価かつ簡単な構成で、電子機器を横置きに使用した場合でも縦置きにした場合でもリッドが一定の角度だけ回動するようにリッドを押圧することで、それ以降、リッドが自動的に且つ確実に開閉することができる電子機器を提供することができる。
【発明を実施するための最良の形態】
【００１８】
以下、本発明の構成を図１乃至図４を用いて詳記する。
図１は本発明の１形態例を示す電子機器の正面図、図２（Ａ）（Ｂ）（Ｃ）は本発明の１形態例を示す電子機器のリッドの開閉動作状態を示す側断面図、図３は本発明の１形態例の電子機器に用いるリッドのスプリングの動作説明用の側断面図、図４は本発明の１形態例の電子機器に用いるスプリングの伸縮時の角度説明図である。
【００１９】
以下、図１乃至図４に於いて、図５および図６との対応部分には同一符号を付して説明する。
【００２０】
図１に於いて、本発明の実施の１形態を以下に説明する。図１は、本発明のリッド（シーリングパネル）を用いて構成したオーディオアンプ等のオーディオ電子機器の筐体１の前面開口部（図示せず）にフロントパネル３を取り付けている。フロントパネル３には開口部４が設けられ、この開口部４内には各種の機能設定あるいは調整用のノブやボタン等の操作部２１を有し、この操作部２１を塞ぐように開閉自在なリッド５が取り付けられている。フロントパネル３の裏面には、金属製のシャーシが固定されている。フロントパネル３の開口部４の右側および左側には合成樹脂製の軸受部材２２Ｒ，２２Ｌが固定されている。軸受部材２２Ｒ，２２Ｌには、リッド５を回動させる軸８が設けられている。開口部４を開閉自在に塞ぐためのリッド５は金属等で構成される。このリッド５には図２に示す様に、リッド５の背面には、樹脂や金属等で成形された軸受部材６が固定されている。軸受部材６は背面及び下面が開口した箱型となされ、全体として台形状となされ軸受溝が形成されて軸受部７が構成される。この軸受部材６の軸受部７をフロントパネル３の開口部４の右左側の軸受部材２２Ｒ，２２Ｌ間に架け渡された軸８に嵌め込むことにより軸８にリッド５が回動可能に開口部４を塞ぐように枢着される。
【００２１】
さらに、図２の側断面図に示す様に、リッド５の軸受部材６と筺体１の前面には夫々フック２３，２４が設けられる。これら夫々のフック２３，２４にスプリング２５を係止している。フロントパネル３の開口部４の上部にはリッド５に当接する保持部材２６が設けられている。
【００２２】
この様な構成において、リッド５が閉じている時は図２（Ａ）に示す様にスプリング２５によって矢印Ａに示す引張力によって、リッド５は保持部２６に押し付けられるので、リッド５とフロントパネル３との間にはガタ付きを生じない。
【００２３】
次に、図２（Ａ）（Ｂ）（Ｃ）及び図３並びに図４によってリッド５が閉じている状態から開くまでの動作を説明する。図３は図２（Ｂ）に示す位置Ｙ付近でのリッド５の回動にともなってスプリング２５の長さの変化を示す図であり、図４は引張スプリング２６の角度を説明する図である。リッド５は軸8を中心に回動することから、図３に示す様にフック２３の辿る軌跡を曲線Ｊとすると、フック２３が位置Ｙの地点にある場合、スプリング２５の長さをＬ１とする。ここで、フック２３が位置Ｙから僅かに矢印Ｅ方向にフック２４を中心に時計方向に図4で示す仰角θ１だけ移動した位置Gの地点でのスプリング２５の長さをL2とし、フック２３が位置Ｙから僅かに矢印F方向にフック２４を中心に反時計方向に図4で示す、俯瞰角θ２だけ移動した位置Hの地点でのスプリング２５の長さをL３とすると、L2及びL3のスプリングの長さはL1 の長さより小さくなる。
【００２４】
すなわち、スプリング２５はフック２３からフック２４までの長さを小さくしようとする力が作用することからフック２３の位置が地点Yから僅かでも仰角θ１あるいは俯瞰角θ２の方向に移動するとリッド５をG又はH方向へ移動しようとする力が作用することになる。この場合、フック２３の位置が位置Yにあるときリッド５は軸8が軸受部材6の軸受部７の軸受溝によって支持されているので、従来の様に摩擦力が作用することがないので、位置Yで停止することはなく、矢印E又はF方向へスムースに回転させることができる。
【００２５】
また、図２（A）に示す様にリッド5が閉じている状態では、リッド５はスプリング２５によって、フック23，24間で矢印A方向に引っ張られ、保持部２６にリッド5の上端が押し付けられている。次に、リッド５を開くときには、リッド５の下部を開口部4方向に押圧することでリッド５を回動させてスプリング２５を伸ばし、図２（B）に示すY位置までリッド５を開くことで図3に詳記した様にスプリング２５の長さは最大となる。
【００２６】
図２（A）に示す閉蓋状態のフック２３の位置Xから図２（B）に示すY位置までは、スプリング２５の引張力によって、リッド5を閉じようとする矢印E方向へ回動する仰角θ１方向の力が働くが、Y位置を超えるとスプリング２５の引張力によって、リッド5を開こうとする矢印F方向へ回動する俯瞰角θ２方向の力が働くことになり、図２（B）に示す開蓋状態のフック２３の位置Yから図２（C）に示すZ位置までは、スプリング２５の引張力によって、リッド5を閉じようとする力が作用することになる。
【００２７】
さらに、またリッド5が図２（C）に示す様に開蓋状態からリッド５を閉じる場合を以下に説明する。図２（C）に示す様にフック２３が位置Zにある全開状態のリッド5のスプリング２５の矢印A方向の引張力に抗してリッド5の上端を矢印E方向に手で押し上げる。図２（Ｂ）に示すように、リッド5のフック２３が位置Yを越すとスプリング25は最長状態から矢印A方向の引張力によって、図１（A）に示す全開状態の位置まで閉じることで、ガタ付きのない全閉状態を維持することができる。なお、スプリング２５は電子機器の筺体１のフロントパネル側からは見えない様に軸受部材６内に収納されている。
【産業上の利用可能性】
【００２８】
上述の構成では、オーディオ用電子機器のフロントパネルや筺体に穿った開口部を塞ぐシーリングパネルなどのリッドについて説明したが、本発明は、縦置きあるいは横置き可能なコンピュータ本体、プリンタ等の筺体に適用可能である。
【図面の簡単な説明】
【００２９】
【図１】本発明の電子機器の１形態例を示す正面図である。
【図２】本発明の１形態例の電子機器のリッドの開閉動作状態を示す側断面図である。
【図３】本発明の１形態例の電子機器に用いるリッドのスプリングの動作説明用の側断面図である。
【図４】本発明の１形態例の電子機器に用いるスプリングの伸縮時の角度説明図である。
【図５】従来の電子機器のリッドの動作説明用の側断面図である。
【図６】従来の他の電子機器のリッドの動作説明用の側断面図である。
【符号の説明】
【００３０】
１・・・筺体、２・・・シャーシ、３・・・フロントパネル、４・・・開口部、５・・・リッド、６・・・軸受部材、７・・・軸受部、８・・・軸、２５・・・スプリング
【図１】
2005109391.tif 000003
【図２】
2005109391.tif 000004
【図３】
2005109391.tif 000005
【図４】
2005109391.tif 000006
【図５】
2005109391.tif 000007
【図６】
2005109391.tif 000008